(57)【要約】【課題】ドライバーショットなどの飛距離を優先するショットにおいてスピン量を小さくすることによりスライスやフックがなく飛距離が大きく、アプローチチョットなどのコントロール性を優先するショットにおいてスピン量を大きくすることによりコントロール性が向上したゴルフボールを提供する。【解決手段】１番ウッドで打撃したときのバックスピン量ＳＷ＃１が２９００ｒｐｍ以下、サンドウェッジで打撃したときのバックスピン量ＳＳＷが６５００ｒｐｍ以上であって、かつＳＳＷ／ＳＷ＃１が２．３５以上であることを特徴とするゴルフボール。該ゴルフボールは、ねじり振動モードの一次固有振動数ｆｃが１８００Ｈｚ〜２８００Ｈｚ、カバーの厚みが０．２ｍｍ〜１．３ｍｍ、カバーのショアＤ硬度が２０〜６０である。【選択図】        なし【特許請求の範囲】
【請求項１】
１番ウッドで打撃したときのバックスピン量ＳＷ＃１が２９００ｒｐｍ以下、サンドウェッジで打撃したときのバックスピン量ＳＳＷが６５００ｒｐｍ以上であって、かつＳＳＷ／ＳＷ＃１が２．３５以上であることを特徴とするゴルフボール。
【請求項２】
１番ウッドで打撃したときのバックスピン量ＳＷ＃１が２８５０ｒｐｍ以下、サンドウェッジで打撃したときのバックスピン量ＳＳＷが６７００ｒｐｍ以上であって、かつＳＳＷ／ＳＷ＃１が２．４０以上であることを特徴とするゴルフボール。
【請求項３】
ソリッドコアおよび該ソリッドコアを被覆するカバーを有するゴルフボールであって、該ゴルフボールのねじり振動モードの一次固有振動数ｆｃが１８００Ｈｚ〜２８００Ｈｚ、該カバーの厚みが０．２ｍｍ〜１．３ｍｍ、該カバーのショアＤ硬度が２０〜６０であるゴルフボール。
【請求項４】
ねじり振動モードの一次固有振動数ｆｃと縦たわみ方向の一次固有振動数ｆｎとの比ｆｃ／ｆｎが１．９〜２．５である請求項３に記載のゴルフボール。
【請求項５】
ねじり振動モードの一次固有振動数ｆｃが２０００Ｈｚ〜２６００Ｈｚである請求項３に記載のゴルフボール。
【請求項６】
カバーの厚みが０．３ｍｍ〜０．７ｍｍである請求項３に記載のゴルフボール。
【請求項７】
カバーのショアＤ硬度が３０〜４５である請求項３に記載のゴルフボール。
【請求項８】
ソリッドコアが２層以上の複数層で構成され、ソリッドコアの最外層のショアＤ硬度がカバーのショアＤ硬度よりも大きい請求項３に記載のゴルフボール。
【請求項９】
縦たわみ方向の一次固有振動数ｆｎが８００Ｈｚ〜１２００Ｈｚである請求項３または請求項４に記載のゴルフボール。
【請求項１０】
ゴルフボールに初荷重９８Ｎから終荷重１２７５Ｎを負荷したときの変形量が２．２０ｍｍ〜３．５０ｍｍである請求項３または請求項４に記載のゴルフボール。
【請求項１１】
ねじり振動モードの一次固有振動数ｆｃが２０００Ｈｚ〜２６００Ｈｚ、縦たわみ方向の一次固有振動数ｆｎが９００Ｈｚ〜１１００Ｈｚおよびｆｃとｆｎとの比ｆｃ／ｆｎが２．１〜２．４である請求項４のゴルフボール。
【発明の詳細な説明】
【０００１】
【発明の属する技術分野】
本発明は、ドライバーショットに対してはスピン量が小さく飛距離が増大し、アプローチショットに対してはスピン量が大きくコントロール性が増大したゴルフボールに関する。
【０００２】
【従来の技術】
ゴルフボールのスピン量は、飛距離性能及びコントロール性能を支配する重要な特性である。ドライバーショットなどの飛距離を優先するショットでは、スピン量が大きいとサイドスピンも大きくなるためにスライスやフックがかかり、ゴルファの意図した方向に飛ばず、吹け上がる弾道となって飛距離も小さくなる。
したがって、上記のようなショットにおいてはスピン量は小さいほうがよい。一方、グリーンそばからのアプローチチョットなどのコントロール性を優先するショットでは、スピン量が小さいとボールが落下してからの転がる距離が大きくなり、ボールを意図した場所に止めることが難しいため、スピン量が大きいほうがよい。
【０００３】
飛距離を優先するショットにおいてスピン量が小さいゴルフボールに関する技術として、リール圧縮率を少なくとも０．０７６を有するコアとショアＤ硬度が少なくとも６５を有するカバーよりなるゴルフボールが提案されている（たとえば、特許文献１参照。）。この技術は、コアを比較的軟らかくカバーを比較的硬くすることによりスピン量の小さいゴルフボールを得るものであるが、同時にコントロール性を優先するショットにおけるスピン量も小さくなりコントロール性が低下する。
【０００４】
また、飛距離を優先するショットにおいてスピン量が小さいゴルフボールに関する技術として、ねじり振動モードの一次の固有振動数ｆｃと縦たわみ方向の一次の固有振動数ｆｎとの比ｆｃ／ｆｎが２．２２≦（ｆｃ／ｆｎ）≦２．４５にあるゴルフボールが提案されている（たとえば、特許文献２参照。）。この技術は、ドライバーショットにおけるスピン量を小さくできるが、カバーに高弾性材料を使用し比較的肉厚にしているためアプローチショットにおけるスピン量も小さくなりコントロール性が低下する。
【０００５】
一方、コントロール性を優先するショットにおいてスピン量が大きいゴルフボールに関する技術として、ねじり振動モードの一次の固有振動数ｆｃと縦たわみ方向の一次の固有振動数ｆｎとの比ｆｃ／ｆｎが２．４５＜（ｆｃ／ｆｎ）≦２．６５にあるゴルフボールが提案されている（たとえば、特許文献３参照。）。
この技術は、アプローチショットにおけるスピン量を大きくできるが、ガバーの複素弾性率をコアの複素弾性率より大きく設定しているため、ドライバーショットにおけるスピン量も大きくなり、飛距離が小さくなる。
【０００６】
また、スピン量を調整する技術として、マルチピースゴルフボールの各層の硬度や剛性の分布、厚さ、比重などの多くの要素を組み合わせたものが多く提案されているが、ドライバーショットにおけるスピン量を小さくするとアプローチショットにおけるスピン量も小さくなり、アプローチショットにおけるスピン量を大きくするとドライバーショットにおけるスピン量も大きくなり、ショットの目的に応じてスピン量を調整することができなかった。
【０００７】
【特許文献１】
特開平０６−３１２０３２号公報
【０００８】
【特許文献２】
特開２００２−２６３２１６号公報
【０００９】
【特許文献３】
特開２００２−２６３２１７号公報
【００１０】
【発明が解決しようとする課題】
本発明は、ショットの目的に応じてスピン量の調整が可能なゴルフボールを提供すること、すなわち、ドライバーショットなどの飛距離を優先するショットにおいてスピン量を小さくすることによりスライスやフックがなく飛距離が大きく、アプローチチョットなどのコントロール性を優先するショットにおいてスピン量を大きくすることによりコントロール性が向上したゴルフボールを提供することを目的とする。
【００１１】
【課題を解決するための手段】
上記目的を達成するために、本発明にかかるゴルフボールは、１番ウッドで打撃したときのバックスピン量ＳＷ＃１が２９００ｒｐｍ以下、サンドウェッジで打撃したときのバックスピン量ＳＳＷが６５００ｒｐｍ以上であって、かつＳＳＷ／ＳＷ＃１が２．３５以上であることを特徴とする。ここで、ＳＷ＃１が２８５０ｒｐｍ以下、サＳＳＷが６７００ｒｐｍ以上であって、かつＳＳＷ／ＳＷ＃１が２．４０以上であることが好ましい。
【００１２】
また、本発明にかかるゴルフボールは、ソリッドコアおよび該ソリッドコアを被覆するカバーを有するゴルフボールであって、該ゴルフボールのねじり振動モードの一次固有振動数ｆｃが１８００Ｈｚ〜２８００Ｈｚ、該カバーの厚みが０．２ｍｍ〜１．３ｍｍ、該カバーのショアＤ硬度が２０〜６０である。ここで、ねじり振動モードの一次固有振動数ｆｃと縦たわみ方向の一次固有振動数ｆｎとの比ｆｃ／ｆｎが１．９〜２．５であること、ねじり振動モードの一次固有振動数ｆｃが２０００Ｈｚ〜２６００Ｈｚであること、カバーの厚みが０．３ｍｍ〜０．７ｍｍであることまたはカバーのショアＤ硬度が３０〜４５であることが好ましい。さらに、ソリッドコアが２層以上の複数層で構成され、ソリッドコアの最外層のショアＤ硬度がカバーのショアＤ硬度よりも大きいことが好ましい。
【００１３】
また、本発明にかかるゴルフボールは、ソリッドコアおよび該ソリッドコアを被覆するカバーを有するゴルフボールであって、該ゴルフボールのねじり振動モードの一次固有振動数ｆｃが１８００Ｈｚ〜２８００Ｈｚ、該カバーの厚みが０．２ｍｍ〜１．３ｍｍ、該カバーのショアＤ硬度が２０〜６０、ねじり振動モードの一次固有振動数ｆｃと縦たわみ方向の一次固有振動数ｆｎとの比ｆｃ／ｆｎが１．９〜２．５であって、ゴルフボールに初荷重９８Ｎから終荷重１２７５Ｎを負荷したときの変形量が２．６ｍｍ〜３．１ｍｍであることまたはねじり振動モードの一次固有振動数ｆｃが２０００Ｈｚ〜２６００Ｈｚ、縦たわみ方向の一次固有振動数ｆｎが９００Ｈｚ〜１１００Ｈｚおよびｆｃとｆｎとの比ｆｃ／ｆｎが２．１〜２．４であることが好ましい。
【００１４】
さらに、上記のゴルフボールにおいて、縦たわみ方向の一次固有振動数ｆｎが８００Ｈｚ〜１２００Ｈｚであることが好ましい。
【００１５】
【発明の実施の形態】
本発明にかかるゴルフボールは、１番ウッドで打撃したときのバックスピン量ＳＷ＃１が２９００ｒｐｍ以下、サンドウェッジで打撃したときのバックスピン量ＳＳＷが６５００ｒｐｍ以上であって、かつＳＳＷ／ＳＷ＃１が２．３５以上である。
ここで、ＳＷ＃１が２８５０ｒｐｍ以下、ＳＳＷが６７００ｒｐｍ以上であって、かつＳＳＷ／ＳＷ＃１が２．４０以上であることが好ましい。さらに、ＳＷ＃１が２８００ｒｐｍ以下、ＳＳＷが６７５０ｒｐｍ以上であって、かつＳＳＷ／ＳＷ＃１が２．４５以上であることがより好ましい。ＳＷ＃１が小さいほどドライバーショットにおける飛距離が大きくなり、ＳＳＷが小さいほどアプローチショットにおけるコントロール性が向上する。また、ＳＳＷ／ＳＷ＃１が大きいほどショットの目的に応じたスピン量の調整幅が大きくなる。
【００１６】
ドライバーショットなどのように比較的大きな力で打撃される際のゴルフボールの挙動について図１を用いて説明する。図１（Ａ）にゴルフボールがクラブに打撃される際の概略側面図を示し、図１（Ｂ）にその際の接触力（Ｆｔ）と時間との関係を示す。まず、ゴルフボールはクラブフェースとの接触面上でねじれを生じ、ゴルフボールにバックスピンをかける方向に力（Ｆｔ）がかかる。しかし、この力はある時点でピークを迎えた後に減少、反転し、ゴルフボールにトップスピンをかける方向の力がかかる。さらにこの力がピークを迎えた後減少し、ゼロとなった時点でゴルフボールはクラブフェースを離れ、空中に解き放たれる。
ここで、ねじれ方向の固有振動数（ねじり振動モードの固有振動数ｆｃ）が大きいほど接触中の早いタイミングでゴルフボールの回転方向が逆転し、トップスピン側に働く力積（Ｒｂ）が大きくなるため、バックスピン量は小さくなる。
【００１７】
したがって、ドライバーショットにおけるバックスピン量を小さくするには、ゴルフボールとクラブフェースとが接触している間にゴルフボールに多くのトップスピン側の力をかける必要がある。そのためには接触時間を長くする、バックスピン側からトップスピン側へ力が反転するまでの時間を短くする方法がある。
【００１８】
一方、アプローチショットなどのように比較的小さな力で打撃される場合は、バックスピン側からトップスピン側への反転が起こる前にゴルフボールがクラブフェースから離れるために、ねじり振動モードの固有振動数ｆｃはアプローチショットのバックスピン量には関係がない。
【００１９】
アプローチショットのバックスピン量には、ボールの最外層に位置するカバーのショアＤ硬度が大きく影響する。すなわち、ショアＤ硬度が低いとゴルフボールとクラブフェースとの間の摩擦力が大きくなりクラブからバックスピンをかける力を効率よくボールに伝えることができるため、バックスピン量は大きくなる。したがって、アプローチショットにおけるバックスピン量を大きくするにはカバーのショアＤ硬度は小さくするのがよい。
【００２０】
上記の観点から、本発明にかかるゴルフボールは、ソリッドコアおよび該ソリッドコアを被覆するカバーを有するゴルフボールであって、該ゴルフボールのねじり振動モードの一次固有振動数ｆｃが１８００Ｈｚ〜２８００Ｈｚ、該カバーの厚みが０．２ｍｍ〜１．３ｍｍ、該カバーのショアＤ硬度が２０〜６０である。
【００２１】
ドライバーショットにおいて、ねじり振動モードの固有振動数が大きいほどゴルフボールとクラブフェースとの接触中の早いタイミングでゴルフボールの回転方向が反転し、トップスピン側に働く力積が大きくなるためバックスピン量は小さくなる。ｆｃが１８００Ｈｚより小さいと反転するまでの時間が長くなるためバックスピン量が大きくなり、ｆｃが２８００Ｈｚより大きいとねじり剛性が大きくなりすぎて打撃時のフィーリングが悪くなる。
【００２２】
アプローチショットにおいて、バックスピン量を大きくするためにはカバーのショアＤ硬度は小さくするほどよい。しかし、カバーのショアＤ硬度を小さくすると、ゴルフボールのねじれ方向の剛性が低下し、ｆｃが小さくなってしまう。
１．３ｍｍ〜２．５ｍｍのカバー厚みでカバーのショアＤ硬度を２０〜６０とするとｆｃは１０００Ｈｚ〜１７００Ｈｚと小さくなる。同じカバー厚みでカバーのショアＤ硬度を６０〜８０とするとｆｃは１７００Ｈｚ〜２５００Ｈｚとなるがアプローチショットにおけるバックスピン量が小さくなる。そこで、カバーの厚みを０．２ｍｍ〜１．３ｍｍ、該カバーのショアＤを２０〜６０とした。
【００２３】
また、本発明にかかるゴルフボールは、ソリッドコアおよび該ソリッドコアを被覆するカバーを有するゴルフボールであって、該ゴルフボールのねじり振動モードの一次固有振動ｆｃが１８００Ｈｚ〜２８００Ｈｚ、該ゴルフボールの縦たわみ方向の一次固有振動数ｆｎが８００Ｈｚ〜１２００Ｈｚ、該カバーの厚みが０．２ｍｍ〜１．３ｍｍ、該カバーのショアＤ硬度が２０〜６０である。さらに、該ゴルフボールのねじり振動モードの一次固有振動ｆｃと縦たわみ方向の一次固有振動数ｆｎとの比ｆｃ／ｆｎが１．９〜２．５であることが好ましい。
【００２４】
上記のように、ｆｃが大きいほどドライバーショットにおけるゴルフボールとクラブ接触中の早いタイミングでゴルフボールの回転方向がバックスピン側からトップスピン側へ反転し、トップスピン側に働く力積が大きくなるため、バックスピン量は小さくなる。かかる観点からｆｃは１８００Ｈｚ〜２８００Ｈｚであり、好ましくは２０００Ｈｚ〜２６００Ｈｚである。ｆｃが１８００Ｈｚより小さいと反転するまでの時間が長くなるためバックスピン量が大きくなり、ｆｃが２８００Ｈｚより大きいとねじれ剛性が大きくなりすぎて打撃時に硬い感じがしてフィーリングが悪くなる。
【００２５】
一方、縦方向の剛性を下げ、ｆｎを小さくすることで接触時間を長くできる。
かかる観点から、ｆｎは８００Ｈｚ〜１２００Ｈｚであり、好ましくは９００Ｈｚ〜１１００Ｈｚである。ｆｎが８００Ｈｚより小さいと接触時間は長くなりバックスピン量は小さくなるが打撃時に重い感じがしてフィーリングが悪く、ｆｎが１２００Ｈｚより大きいと接触時間が短くなるとともに打撃時に硬い感じがしてフィーリングが悪くなる。
【００２６】
また、ｆｎを小さくするためにボールの剛性をただ小さくしただけではｆｃも小さくなりバックスピン量は小さくならず、ｆｃを大きくするためにボールの剛性をただ大きくしただけではｆｎも大きくなりバックスピン量は小さくならない。これらのバランスを最適にするために、ｆｃ／ｆｎは１．９〜２．５であり、好ましくは２．１〜２．４である。
【００２７】
ここで、本発明における特有の物理定数である縦たわみ方向の一次固有振動数ｆｎおよびねじり振動モードの一次固有振動数ｆｃの測定方法を以下に説明する。まず、縦たわみ方向の一次固有振動数ｆｎを測定する方法を、図２にしたがって説明する。
（１）ゴルフボールＧを加振機１７の取付け台１７ａの支持部１７ｂ上に、ゴルフボールが直径１０ｍｍの平坦円形になるように研磨し、この部分を瞬間接着剤で固定する。
（２）加振機１７の取付け台１７ａの下側に加速度ピックアップ１９を取付ける。
（３）加振機でゴルフボールＧを加振し、ゴルフボール上面に配置された反射テープ２０を介して、レーザー照射部１４、マニピュレータ１２及びレーザードップラー速度計１１によって、ゴルフボールの振動速度Ｖを測定する。これは公知のレーザードップラー振動計の原理を用いるものである。なお反射テープは住友スリーエム社製のスコッチライト反射テープを用い、その約５ｍｍ平方のものを反射面がレーザー照射側になるように向けてボールに貼り付けた。
（４）加速度ピックアップ１９から出た電圧信号をパワーアンプ１５で増幅した後、ＦＦＴアナライザー１３に取り込む。一方、計測された速度Ｖをレーザードップラ速度計１１からＦＦＴアナライザー１３に取り込む。
（５）ＦＦＴアナライザー１３で計測された加速度Ａと速度Ｖから次の式によって周波数伝達関数Ｇ（ｓ）を求める。
Ｇ（ｓ）＝出力速度Ｖのフーリエ変換／入力加速度Ａのフーリエ変換
（６）上記周波数伝達関数Ｇ（ｓ）から、周波数４００Ｈｚ〜４０００Ｈｚの範囲で示すピークのうち最も大きいピーク値を極大値の周波数として読み取る。なお図２において、加振機アンプ１６は加振機１７の振動の振幅を制御するもので、ＦＦＴアナライザー１３から出力される電圧信号を増幅する機能を有する。
【００２８】
次に、ねじり振動モードにおける一次固有振動数ｆｃの測定方法を図３に基いて説明する。
（イ）ゴルフボールＧは、ボール固定冶具８を介して取付け台７ａの上に配置される。そしてゴルフボールはボール固定冶具８のフランジ部８ｂに固定され、ボール固定冶具の基底部８ａから離れるように固定される。ゴルフボールＧをフランジ部８ｂに固定するには、ゴルフボールが直径１０ｍｍの平坦円形になるように研磨し、この部分に瞬間接着剤を付着して、フランジ部８ｂに固定する。レザー線Ｒがゴルフボールを通過する延長線は基低部８ａの点ｐになるようにゴルフボールの位置決めをする。
【００２９】
ここで、ボール固定冶具８の材質及び寸法は次の通りである。
ボール固定冶具８の材料はステンレス（ＳＵＳ）で、重量は３７９．５ｇである。そしてボール固定冶具８はその斜視図を示す図４（Ａ）、側面図を示す図４（Ｂ）に示されるごとく、垂直のフランジ部８ｂおよび基底部８ａからなる。そして各部の寸法は以下の通りである。
基底部の寸法
Ｌ：９３．９ｍｍ  Ｌ１：６８．９ｍｍ  Ｌ２：３６．３７ｍｍ  Ｗ：２５ｍｍＨ２：１５ｍｍ
垂直部の寸法
Ｈ：４７．３５ｍｍ  Ｈ１：２２．３５ｍｍ  ＦＬ：１５ｍｍ
（ロ）加振機７の取付け台７ａの下側に加速度ピックアップ９を取付ける。
（ハ）加振機７でゴルフボールＧを加振し、ゴルフボール上面に配置された反射テープ１０を介して、レーザー照射部４、マニピュレーター２及びレーザードップラー速度計１によって、ゴルフボールの振動速度Ｖ’を測定する。これは公知のレーザードップラー振動計の原理を用いるものである。なお反射テープは住友スリーエム社製のスコッチライト反射テープを用い、その約５ｍｍ平方のものを反射面がレーザー照射側になるように向けてボールに貼り付けた。
（ニ）加速度ピックアップ９から出た電圧信号をパワーアンプ５で増幅した後、ＦＦＴアナライザー３に取り込む。一方、計測された速度Ｖ’をレーザードップラ速度計１からＦＦＴアナライザー３に取り込む。
（ホ）ＦＦＴアナライザーで計測された加速度Ａ’と速度Ｖ’から次の式によって周波数伝達関数Ｇ’（ｓ）を求める。
Ｇ’（ｓ）＝出力速度Ｖ’のフーリエ変換／入力加速度Ａ’のフーリエ変換
ここで上記周波数伝達関数から、周波数４００Ｈｚ〜４０００Ｈｚの範囲で示すピークのうち最も大きいピーク値を極大値の周波数として読み取る。上記ｆｎ、ｆｃの測定に用いた各種測定機器の仕様は表１に示すとおりである。
【００３０】
【表１】
2004215703.tif 000002
【００３１】
本発明にかかるゴルフボールのソリッドコアは、特に限定はないが、２層以上の複合層特に３層〜７層とすることが好ましい。複数層の場合はコア表面に近い層ほど複素弾性率の値を大きくするほうが好ましい。ｆｃを大きくすることができるからである。
【００３２】
また、ソリッドコアの材質として、特に限定はないが、ゴムおよび／または樹脂が挙げられる。ゴムの場合は、基材ゴム、共架橋剤および架橋開始剤を主体とするゴム組成物を加熱プレス成形して得られる。基材ゴムは、反発に有利なシス結合が４０％以上、好ましくは７０％以上、より好ましくは９０％以上であるポリブタジエンを用いる。その他に、天然ゴム、スチレンブタジエンゴム、イソプレンゴムまたはエチレンプロピレンゴムなどをブレンドすることも可能である。
【００３３】
共架橋剤は、炭素数３個〜８個のα，β−不飽和カルボン酸またはその金属塩を用いることができる。アクリル酸、メタクリル酸の金属塩が好ましい。金属塩として亜鉛塩、マグネシウム塩、カルシウム塩、アルミニウム塩またはナトリウム塩などが挙げられ、亜鉛塩が好ましい。また、共架橋剤は基材ゴム１００質量部に対して２０質量部〜５０質量部用いることができる。
【００３４】
架橋開始剤である有機過酸化物としては、ジクミルパーオキサイド、１，１−ビス（ｔ−ブチルパーオキシ）−３，５−トリメチルシクロヘキサン、２，５−ジメチル−２，５−（ｔ−ブチルパーオキシ）ヘキサン、ジ−ｔ−ブチルパーオキサイドなどが挙げられ、ジクミルパーオキサイドが好ましい。また、架橋開始剤は基材ゴム１００質量部に対して０．２質量部〜５質量部用いることができ、好ましくは０．３質量部〜３質量部である。
【００３５】
また、上記ゴム組成物に、ジフェニルジスルフィド、ジペンタクロロジフェニルジスルフィドなどの有機硫黄化合物を添加して反発性を高めることができる。
また、上記ゴム組成物に、酸化亜鉛、硫酸バリウム、クレーなどの無機充填剤、老化防止剤、色粉などを配合することもできる。上記材料を配合したものをロール、ニーダー、バンバリなどを用いてミキシングして調製したゴム組成物を球状の金型によって加圧加熱して加硫する。加硫条件は、適宜設定することができるが、通常は１３０℃〜２００℃で１０分間〜６０分間、好ましくは１５０℃〜１７５℃で１０分間〜４０分間である。
【００３６】
また、ソリッドコアに用いる樹脂としては、アイオノマー樹脂、またはオレフィン系、スチレン系、エステル系、アミド系もしくはウレタン系の各種熱可塑性エラストマーまたはウレタン系もしくはウレア系の熱硬化性樹脂などが挙げられる。ｆｃを高くし反発弾性、耐久性を向上させる観点から、アイオノマー樹脂、エステル系熱可塑性エラストマー、アミド系熱可塑性エラストマー、ウレタン系熱可塑性エラストマーが好ましい。さらに、ｆｃを高くするために、有機短繊維、たとえばナイロン繊維、アクリル繊維、ポリエステル繊維またはアラミド繊維などを配合してもよい。
【００３７】
ソリッドコアの表面硬度は、ショアＤ硬度で６０〜８０が好ましく、６５〜７５がさらに好ましい。ショアＤ硬度が６０より小さいとｆｃが小さくなり、８０より大きいと打撃時に硬い感じがしてフィーリングが悪くなる。ソリッドコアの直径は３７．９ｍｍ〜４２．４ｍｍが好ましい。また、ソリッドコアに初荷重９８Ｎから終荷重１２７５Ｎ負荷したときの変形量は２．２０ｍｍ〜３．５０ｍｍが好ましく、２．３０ｍｍ〜３．３０ｍｍがより好ましい。かかる変形量が２．２０ｍｍ未満であると打球感が硬く、３．５０ｍｍを超えると反発性能が低下し打球感が重たくなる。
【００３８】
本発明にかかるゴルフボールのカバーの材質として、特に限定はないが、アイオノマー樹脂、またはオレフィン系、スチレン系、エステル系、アミド系もしくはウレタン系の各種熱可塑性エラストマーまたはウレタン系もしくはウレア系の熱硬化性樹脂などが挙げられる。耐久性が良好で薄いカバーが成型できる観点から、熱硬化性ウレタン樹脂が好ましい。
【００３９】
熱硬化性ウレタン樹脂は、イソシアネート基末端ウレタンプレポリマーと硬化剤であるポリアミン化合物またはポリオール化合物を含有する。プレポリマーのイソシアネート基または硬化剤は特に限定されない。必要に応じて、オレイン酸、ラウリル酸などの脂肪族カルボン酸、トリエチルアミンなどの３級アミン、ジラルリルジチンラウリレートなどのスズ系の触媒、酸化チタンなどの顔料、硫酸バリウムなどの充填剤、老化防止剤、紫外線吸収剤、光安定剤、蛍光増白剤などの添加剤を配合することができる。
【００４０】
カバーの厚みは、０．２ｍｍ〜１．３ｍｍ、好ましくは０．３ｍｍ〜０．７ｍｍである。カバー厚みが０．２ｍｍ未満であるとカバーが薄くなりすぎて成型が困難になるとともに引裂強度が低下し耐久性が悪くなり、１．３ｍｍを超えるとｆｃが小さくなる。
【００４１】
カバーのショアＤ硬度は、２０〜６０、好ましくは３０〜４５である。ショアＤ硬度が２０より小さいとｆｃが小さくまた反発性能が低下し、６０より大きいとアプローチショットにおけるバックスピン量が小さくなりコントロール性が悪くなる。
【００４２】
上記ソリッドコアに上記カバーを被覆したゴルフボールは、初荷重９８Ｎから終荷重１２７５Ｎ負荷したときの変形量は、好ましくは２．２０ｍｍ〜３．５０ｍｍ、より好ましくは２．３０ｍｍ〜３．３０ｍｍ、さらに好ましくは２．６０ｍｍ〜３．１０ｍｍである。かかる変形量が２．２０ｍｍ未満であると打球感が硬くなり、３．５０ｍｍを超えると反発性能が低下し飛距離が小さくなり好ましくない。
【００４３】
なお、ゴルフボールの表面に必要に応じてディンプルを形成したり、ペイント、マーキングを施すこともできる。
【００４４】
【実施例】
以下、実施例１〜１３および比較例１〜１０に基づいて本発明を具体的に説明する。
【００４５】
（１）ソリッドコアの作製
表２に示す配合組成のゴム組成物（配合Ａ〜Ｆの組成物）または樹脂組成物（配合Ｇ〜Ｊの組成物）を用いて、表３または表４の構成を有する直径３９．０ｍｍ〜４２．０ｍｍの球状ソリッドコアを得た。配合Ａ〜Ｆについては１６０℃で３０分間加熱圧縮することにより成型し、配合Ｇ〜Ｊについては２４０℃で射出成形することにより成型した。
【００４６】
（２）ボールの作製
表２の配合Ｇ、Ｋ〜Ｍの樹脂組成物を上記ソリッドコアに被覆し、表３または表４の構成を有するゴルフボールを得た。配合Ｇについては２４０℃で射出成形することにより成型した。また、配合Ｋ〜Ｍについては、以下のようにして成型した。まず、表２に記載の配合材料を混合、攪拌して粘ちょうな液体のカバー用組成物を得た。このカバー用組成物をソリッドコアを保持した半球状の金型に速やかに注入し、次いでこれを反転して、カバー用組成物を注入した別の半球状金型と合わせて硬化を行なうことにより成型した。
【００４７】
成型後、得られたゴルフボールを取出し、バリ取りをした後、表面に白色ペイントとクリアペイントを施して、直径４２．８ｍｍ、質量４５．２ｇ〜４５．７ｇのゴルフボールを得た。
【００４８】
【表２】
2004215703.tif 000003
【００４９】
ここで、表２の配合材料の詳細については以下の通りである。
ＢＲ１８：ＪＳＲ社製ハイシス−１，４−ポリブタジエン（シス成分９６％以上）、アクリル酸亜鉛：日本蒸留社製ＺＮＤＡ−９０Ｓ、酸化亜鉛：東邦亜鉛社製銀嶺Ｒ、ジクミルパーオキサイド：日本油脂社製パークミルＤ、ジフェニルジスルフィド：住友精化製、ハイミラン１６０５：三井デュポンポリケミカル社製Ｎａ中和タイプアイオノマー、ハイミラン１７０６：三井デュポンポリケミカル社製Ｚｎ中和タイプアイオノマー、ハイミラン１８５５：三井デュポンポリケミカル社製Ｚｎ中和タイプアイオノマー、サーリン８１４０：デュポン社製Ｎａ中和タイプアイオノマー、サーリン９１２０：デュポン社製Ｚｎ中和タイプアイオノマー、アジプレンＬＦ８００Ａ：ユニロイヤル社製ＴＤＩ−ＰＴＭＧ系プレポリマー（ＮＣＯ含量＝２．９質量％、遊離ＴＤＩ≦０．１質量％）、アジプレンＬＦ９００Ａ：ユニロイヤル社製ＴＤＩ−ＰＴＭＧ系プレポリマー（ＮＣＯ含量＝３．８質量％、遊離ＴＤＩ≦０．１質量％）、アジプレンＬＦ６５０Ｄ：ユニロイヤル社製ＴＤＩ−ＰＴＭＧ系プレポリマー（ＮＣＯ含量＝７．７質量％、遊離ＴＤＩ≦０．１質量％）、ロンザキュアＭ−ＣＤＥＡ：ロンザ社製２，２’−ジクロロメタン−３，３’，５，５’−テトラメチル−４，４’−ジアミノジフェニルメタン、オレイン酸：和光純薬社製試薬１級、酸化チタン：和光純薬社製試薬。
【００５０】
（３）試験方法
（イ）圧縮変形量：初荷重９８Ｎから終荷重１２７５Ｎの荷重をかけたときのゴルフボールの圧縮変形量（ｍｍ）を測定した。
（ロ）Ｗ＃１飛距離：スイングロボットにチタン製１番ウッドクラブ（Ｗ＃１；住友ゴム工業社製ＸＸＩＯ  ＴＷＩＮ  ＡＸ−ＳＯＬＥ  Ｗ＃１（ロフト角：１０°、ライ角：５６°、クラブ長さ：４５インチ、シャフト：カーボンシャフト（ＸＸＩＯ  ＭＰ２００  カーボンシャフト  Ｓ）、ヘッド素材：チタン合金））を装着し、ヘッド速度４５ｍ／ｓで打撃した際のゴルフボールの打撃地点から停止地点までの距離（ｍ）を測定した。
（ハ）バックスピン量（ＳＷ＃１またはＳＳＷ）：スイングロボットにチタン製１番ウッドクラブ（Ｗ＃１；住友ゴム工業社製ＸＸＩＯ  ＴＷＩＮ  ＡＸ−ＳＯＬＥＷ＃１（ロフト角：１０°、ライ角：５６°、クラブ長さ：４５インチ、シャフト：カーボンシャフト（ＸＸＩＯ  ＭＰ２００  カーボンシャフト  Ｓ）、ヘッド素材：チタン合金））またはサンドウエッジ（ＳＷ；住友ゴム工業社製スリクソンＩ−２０１（ロフト角：５７°、ライ角：６３°、クラブ長さ：３５．５インチ、シャフト：カーボンシャフト（ツアーブラックＶ２３  Ｓ）、ヘッド素材：軟鉄））を装着し、所定のヘッド速度（Ｗ＃１については４５ｍ／ｓ、ＳＷについては２１ｍ／ｓ）で打撃したゴルフボールを連続写真撮影することによりバックスピン量（ｒｐｍ）を求めた。
（ニ）縦たわみ方向の一次固有振動数ｆｎ：上記の図２に示す方法にしたがって測定した。
（ホ）ねじり振動モードの一次固有振動数ｆｃ：上記の図３に示す方法にしたがって測定した。
実施例１〜１３についての諸特性値を表３に、比較例１〜１０についての諸特性値を表４にまとめる。
【００５１】
【表３】
2004215703.tif 000004
【００５２】
【表４】
2004215703.tif 000005
【００５３】
実施例１〜１３については、ｆｃ、ｆｎ、ｆｃ／ｆｎ、カバー厚み、カバーショアＤ硬度などを所定の範囲内に設計することにより、いずれの場合もＳＷ＃１、ＳＳＷ、およびＳＳＷ／ＳＷ＃１が特許請求の範囲内にあるゴルフボールが得られる。
これに対して、比較例１、５ではｆｃが小さいため、比較例９ではｆｃ／ｆｎが小さいため、比較例１、４ではカバー厚みが厚すぎていずれもＳＷ＃１が大きくなり飛距離が小さい。また、比較例７ではカバー厚みが薄すぎてＳＳＷが小さくコントロール性が悪く、比較例３、１０はカバーのショアＤ硬度が大きくｆｎが大きいためＳＳＷが小さくコントロール性が悪い。
【００５４】
今回開示された実施の形態および実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００５５】
【発明の効果】
上記のように、本発明においては、ｆｃ、ｆｎ、ｆｃ／ｆｎ、カバー厚み、カバーショアＤ硬度などを所定の範囲内に設計し、ＳＷ＃１、ＳＳＷ、およびＳＳＷ／ＳＷ＃１を所定の範囲内に調製することにより、ショットの目的に応じてスピン量の調整が可能なゴルフボールを提供すること、すなわち、ドライバーショットなどの飛距離を優先するショットにおいてスピン量が小さくすることによりスライスやフックがなく飛距離が大きく、アプローチチョットなどのコントロール性を優先するショットにおいてスピン量を大きくすることによりコントロール性が向上したゴルフボールを提供することができる。
【図面の簡単な説明】
【図１】（Ａ）はゴルフボールがクラブに打撃される際の概略側面図である。（Ｂ）はゴルフボールがクラブに打撃される際の接触力と時間との関係を示す図である。
【図２】ｆｎを測定する装置の概略図である。
【図３】ｆｃを測定する装置の概略図である。
【図４】（Ａ）はボール固定冶具の斜視図である。（Ｂ）はボール固定冶具の側面図である。
【符号の説明】
１，１１  レーザードップラー速度計、２，１２  マニピュレーター、３，１３  ＦＦＴアナライザー、４，１４  レーザー照射部、５，１５  パワーアンプ、６，１６  加振機アンプ、７，１７  加振機、７ａ，１７ａ  取付け台、１７ｂ  支持部、８  ボール固定冶具、８ａ  基底部、８ｂ  フランジ部、９，１９
加速度ピックアップ、１０，２０  反射テープ。
【図１】
2004215703.tif 000006
【図２】
2004215703.tif 000007
【図３】
2004215703.tif 000008
【図４】
2004215703.tif 000009